(57)【要約】【課題】光源における光学損傷の発生を抑制しつつ、起動時間を短くする。【解決手段】光源装置は、第１の光源４ｂａ，４ｂｂと、該第１の光源とは異なる波長の光を発する第２の光源４ｒｃ，４ｒｄと、第１および第２の光源を制御する制御手段１，２とを有する。制御手段は、第２の光源を、点灯開始から点灯完了まで第１の光源よりも長い時間をかけて制御し、第２の光源の点灯を、第１の光源の点灯開始よりも先に開始する。【選択図】図１
2020034824.tif 000002
【特許請求の範囲】
【請求項１】
第１の光源と、
前記第１の光源とは異なる波長の光を発する第２の光源と、
前記第１および第２の光源を制御する制御手段とを有し、
前記制御手段は、
前記第２の光源を、点灯開始から点灯完了まで前記第１の光源よりも長い時間をかけて制御し、
前記第２の光源の点灯を、前記第１の光源の点灯開始よりも先に開始することを特徴とする光源装置。
【請求項２】
前記第１の光源からの入射光とは波長が異なる変換光を生成する波長変換素子と、
該波長変換素子を回転させるモータとを有し、
前記制御手段は、前記第２の光源の点灯を前記モータの回転開始前に開始し、前記第１の光源の点灯を前記モータの回転開始後に開始することを特徴とする請求項１に記載の光源装置。
【請求項３】
前記第１および第２の光源を冷却する冷却手段を有し、
前記制御手段は、前記第２の光源の点灯を前記冷却手段による冷却開始前に開始し、前記第１の光源の点灯を前記冷却手段による冷却開始後に開始することを特徴とする請求項１に記載の光源装置。
【請求項４】
前記制御手段は、前記第２の光源の駆動電流を、前記点灯開始から前記点灯完了まで、前記第１の光源の駆動電流を増加させる時間よりも長い時間をかけて連続的または段階的に増加させることを特徴とする請求項１から３のいずれか一項に記載の光源装置。
【請求項５】
前記第１の光源は青光を発する半導体レーザダイオードであり、
前記第２の光源は赤光を発する半導体レーザダイオードであることを特徴とする請求項１から４のいずれか一項に記載の光源装置。
【請求項６】
前記第２の光源の温度を検出する温度検出手段を有し、
前記制御手段は、検出された前記温度に応じて前記第２の光源の駆動電流を制御することを特徴とする請求項１から５のいずれか一項に記載の光源装置。
【請求項７】
請求項１から６のいずれか一項に記載の光源装置と、
該光源装置からの光を変調する光変調部とを有し、
前記光変調部からの光により形成される画像を被投射面に投射する画像投射装置。
【請求項８】
第１の光源と、前記第１の光源とは異なる波長の光を発する第２の光源とを有する光源装置の制御方法であって、
前記第２の光源の点灯を、前記第１の光源の点灯開始よりも先に開始するステップと、
前記第２の光源を、点灯開始から点灯完了まで前記第１の光源よりも長い時間をかけて制御するステップとを有することを特徴とする光源装置の制御方法。
【請求項９】
第１の光源と、前記第１の光源とは異なる波長の光を発する第２の光源とを有する光源装置のコンピュータに、請求項８に記載の制御方法に従う処理を実行させることを特徴とするコンピュータプログラム。
【発明の詳細な説明】
【技術分野】
【０００１】
本発明は、液晶プロジェクタ等の画像投射装置に好適な光源装置に関する。
【背景技術】
【０００２】
光源から発せられた光を、液晶パネル等の光変調素子により画像変調してスクリーン等の被投射面に投射する画像投射装置（以下、プロジェクタという）には、光源としてレーザダイオード（ＬＤ）を用いるものがある。このようなプロジェクタには、特許文献１にて開示されているように、互いに異なる波長の光を発する複数のＬＤ（青色ＬＤと赤色ＬＤ）を用いるものがある。
【０００３】
ただし、赤色ＬＤには、青色ＬＤに比べて、特に温度が低いときに光学損傷（ＣＯＤ：Catastrophic Optical Damage）を引き起こしやすいという性質がある。特許文献２には、ＣＯＤの発生を抑制するための方法が開示されている。
【先行技術文献】
【特許文献】
【０００４】
【特許文献１】特開２０１６−２２４３０４号公報
【特許文献２】特開２０１６−１３１２１９号公報
【発明の概要】
【発明が解決しようとする課題】
【０００５】
しかしながら、特許文献２に開示された方法では、ＬＤに供給する駆動電流を制御するため、ＬＤの点灯が完了するまでに時間がかかり、その結果、プロジェクタの起動時間が長くなる。
【０００６】
本発明は、赤色ＬＤ等の光源におけるＣＯＤの発生を抑制しつつ、起動時間を短くすることができるようにした光源装置および画像投射装置を提供する。
【課題を解決するための手段】
【０００７】
本発明の一側面としての光源装置は、第１の光源と、該第１の光源とは異なる波長の光を発する第２の光源と、第１および第２の光源を制御する制御手段とを有する。制御手段は、第２の光源を、点灯開始から点灯完了まで第１の光源よりも長い時間をかけて制御し、第２の光源の点灯を、第１の光源の点灯開始よりも先に開始することを特徴とする。
【０００８】
なお、上記光源装置と、該光源装置からの光を変調する光変調部とを有し、光変調部からの光により形成される画像を被投射面に投射する画像投射装置も、本発明の他の一側面を構成する。
【０００９】
また、本発明の他の一側面としての制御方法は、第１の光源と、該第１の光源とは異なる波長の光を発する第２の光源とを有する光源装置に適用される。該制御方法は、第２の光源の点灯を、第１の光源の点灯開始よりも先に開始するステップと、第２の光源を、点灯開始から点灯完了まで第１の光源よりも長い時間をかけて制御するステップとを有することを特徴とする。
【００１０】
なお、光源装置のコンピュータに、上記制御方法に従う処理を実行させるコンピュータプログラムも、本発明の他の一側面を構成する。
【発明の効果】
【００１１】
本発明によれば、第２の光源におけるＣＯＤの発生を抑制しつつ、第１および第２の光源の点灯が完了するまでの起動時間を短くすることができる。
【図面の簡単な説明】
【００１２】
【図１】本発明の実施例１であるプロジェクタの構成を示すブロック図。
【図２】実施例１における処理を示すフローチャート。
【図３】実施例１における処理を示すタイムチャート。
【図４】本発明の実施例２における処理を示すフローチャート。
【図５】本発明の実施例３であるプロジェクタの構成を示すブロック図。
【図６】実施例３における処理を示すフローチャート。
【図７】本発明の実施例４における処理を示すフローチャート。
【図８】本発明の実施例５であるプロジェクタの構成を示すブロック図。
【図９】実施例５における処理を示すフローチャート。
【発明を実施するための形態】
【００１３】
以下、本発明の実施例について図面を参照しながら説明する。
【実施例１】
【００１４】
図１は、本発明の実施例１である画像投射装置としてのプロジェクタの構成を示している。以下の説明において、Ｒ、Ｇ、Ｂはそれぞれ、赤、緑、青の意味である。１はシステム制御部、２は駆動電流算出部、３は光源駆動部である。４ｂａ，４ｂｂはＢ光源であり、４ｒｃ，４ｒｄはＲ光源である。５ｂはＢ光源用ヒートシンク、５ｒはＲ光源用ヒートシンク、６ｂはＢ光源用冷却部、６ｒはＲ光源用冷却部、７は冷却制御部である。
【００１５】
８ｂａ，８ｂｂはＢ用コリメートレンズであり、８ｒｃ，８ｒｄはＲ用コリメートレンズである。９は第１のレンズ、１０は第２のレンズ、１２は光反射部材、１３はガラス板、１４は第３のレンズである。１５は蛍光体、１６は蛍光体支持部材、１７はモータ、１８はモータ制御部である。２０ａは第１のフライアイレンズ、２０ｂは第２のフライアイレンズ、２１は偏光変換素子、２２は第４のレンズである。
【００１６】
２３はダイクロイックミラー、２４は波長選択性位相板、２５ＲＢはＲＢ用偏光ビームスプリッタ、２５ＧはＧ用偏光ビームスプリッタ、２６ＲはＲ用λ／４板、２６ＧはＧ用λ／４板、２６ＢはＢ用λ／４板である。２７ＲはＲ用光変調部、２７ＧはＧ用光変調部、２７ＢはＢ用光変調部である。２９は色合成プリズム、３１は投射レンズである。
【００１７】
駆動電流算出部２は、システム制御部１からの指示に応じてＢ光源４ｂａ，４ｂｂおよびＲ光源４ｒｃ，４ｒｄの駆動電流を算出する。光源駆動部３は、駆動電流算出部２により算出された各駆動電流を各光源に供給してこれを駆動する。
【００１８】
Ｂ光源（第１の光源）４ｂａ，４ｂｂは、Ｂ光（青光）を発する互いに同じ半導体レーザダイオードを用いて構成されている。Ｂ光源４ｂａ，４ｂｂのピーク波長は４５５ｎｍである。Ｒ光源（第２の光源）４ｒｃ，４ｒｄは、Ｂ光とは異なる波長のＲ光（赤光）を発する互いに同じ半導体レーザダイオードを用いて構成されている。Ｒ光源４ｒｃ，４ｒｄのピーク波長は６３５ｎｍである。Ｂ光源４ｂａ，４ｂｂは、Ｂ光源用ヒートシンク５ｂに取り付けられている。Ｒ光源４ｒｃ，４ｒｄは、Ｒ光源用ヒートシンク５ｒに取り付けられている。各ヒートシンクとしては、放熱フィンが設けられた銅板等が用いられる。各光源と各ヒートシンクは、熱伝導シート等の伝熱部材で密着されていることが好ましい。なお、Ｂ光源およびＲ光源のそれぞれの数は、２つでなくてもよい。
【００１９】
Ｂ光源用ヒートシンク５ｂとＲ光源用ヒートシンク５ｒの背面にはそれぞれ、冷却手段として、冷却ファンにより構成されるＢ光源用冷却部（以下、Ｂ光源用冷却ファンという）６ｂとＲ光源用冷却部（以下、Ｒ光源用冷却ファンという）６ｒが配置されている。
【００２０】
Ｂ光源用冷却ファン６ｂおよびＲ光源用冷却ファン６ｒのそれぞれからの冷却風によってＢ光源用ヒートシンク５ｂおよびＲ光源用ヒートシンク５ｒが冷却される。Ｂ光源用冷却ファン６ｂとＲ光源用冷却ファン６ｒの回転数（ファン回転数）は、システム制御部１の指示に基づいて冷却制御部７によって制御される。各冷却ファンの駆動電圧を上げるとファン回転数が増加し、駆動電圧を下げるとファン回転数が減少する。図１においてＢ光源用冷却ファン６ｂとＲ光源用冷却ファン６ｒから出ている矢印の向きは、冷却風の向きを示している。
【００２１】
Ｂ光源用ヒートシンク５ｂおよびＲ光源用ヒートシンク５ｒはそれぞれ、Ｂ光源４ｂａ，４ｂｂが発した熱およびＲ光源４ｒｃ，４ｒｄが発した熱を平均化する。Ｂ光源用ヒートシンク５ｂおよびＲ光源用ヒートシンク５ｒをそれぞれＢ光源用冷却ファン６ｂおよびＲ光源用冷却ファン６ｒにより冷却することで、Ｂ光源４ｂａ，４ｂｂおよびＲ光源４ｒｃ，４ｒｄを同時に冷却することができる。
【００２２】
Ｂ光源４ｂａ，４ｂｂから発せられたＢ光はそれぞれ、Ｂ用コリメートレンズ８ｂａ，８ｂｂに入射する。Ｒ光源４ｒｃ，４ｒｄから発せられたＲ光はそれぞれ、Ｒ用コリメートレンズ８ｒｃ，８ｒｄに入射する。各コリメートレンズは、各光源からの光を略平行光に変換する。図１における各光源からの矢印の向きは、光の光路と進行方向を表している。このことは以降の光路おいても同様である。
【００２３】
各コリメートレンズから出射した光は、第１のレンズ９および第２のレンズ１０に入射して励起光１１として出射する。第１のレンズ９と第２のレンズ１０は、各コリメートレンズから出射した光の光束径を調整する役割を有する。
【００２４】
励起光１１は、ガラス板１３の表面に設けられた光反射部材１２で反射され、第３のレンズ１４を介して蛍光体（波長変換素子）１５に照射される。光反射部材１２は、ガラス板１３の表面のうち励起光１１が照射される部分にのみ設けられている。また、第３のレンズ１４は、励起光１１を集光して蛍光体１５上に所定サイズの光照射領域を形成する。
【００２５】
蛍光体１５の材料は、例えばＹＡＧ：Ｃｅである。蛍光体１５は、モータ１７の回転軸を中心とした円周方向に設けられ、蛍光体支持部材１６によって支持されている。蛍光体支持部材１６の材料は、典型的にはアルミ等の金属板である。ただし、金属板と同様な機能を有するものであれば、金属板に限られない。モータ１７は、蛍光体１５からの放熱を効率的に行うために、蛍光体１５および蛍光体支持部材１６を回転させる。モータ１７の回転数は、システム制御部１の指示に応じてモータ制御部１８により制御される。
【００２６】
蛍光体１５は、励起光１１のうちＢ光の一部を波長変換して黄色の蛍光光を発生させる。蛍光光と蛍光体１５により波長変換されなかったＢの励起光（非変換光）とＲ光とが合成されて白色（Ｗ）光としての照明光１９が生成される。
【００２７】
照明光１９は、第３のレンズ１４に入射して略平行光に変換される。第３のレンズ１４を透過した照明光１９は、さらにガラス板１３のうち光反射部材１２以外の部分を透過して、第１のフライアイレンズ２０ａおよび第２のフライアイレンズ２０ｂを透過することで複数の光束に分割されて偏光変換素子２１に入射する。偏光変換素子２１は、無偏光光である照明光１９を特定の１つの偏光方向を有する直線偏光に変換する。一般に、ＬＤからの光束は直線偏光光であるが、蛍光体１５からの照明光１９は無偏光光になっている。このため、後述する偏光ビームスプリッタでの偏光分離を効率良く行うために、偏光変換素子２１を設けることで直線偏光（図１の紙面に垂直な偏光方向を有するＳ偏光）に変換する。
【００２８】
偏光変換素子２１から出射した照明光１９としての複数の光束は、第４のレンズ２２により集光されて３つの光変調部２７Ｒ，２７Ｇ，２７Ｂ上にて重ね合わせられる。これにより、各光変調部は均一に照明される。
【００２９】
第４のレンズ２２を透過した照明光１９は、ダイクロイックミラー２３に導かれる。ダイクロイックミラー２３は、照明光１９のうちＲＢ光１９ＲＢを反射し、Ｇ光１９Ｇを透過させる。ダイクロイックミラー２３を透過したＳ偏光のＧ光１９Ｇは、Ｇ用偏光ビームスプリッタ２５Ｇに入射してその偏光分離面で反射され、Ｇ用光変調部２７Ｇに到達する。ここで、Ｇ用光変調部２７Ｇは、デジタル駆動式の反射型液晶表示素子であり、Ｇ光１９Ｇを変調するための原画を形成する。システム制御部１は、外部からの入力映像信号に応じてＧ用光変調部２７Ｇに原画を形成させるようにこれを駆動する。この際、システム制御部１は、Ｇ用光変調部２７Ｇの各画素を各フレーム期間内にＯＮ／ＯＦＦ駆動し、該ＯＮ／ＯＦＦ駆動のデューティを制御することによりＧ用光変調部２７Ｇに複数の階調を表現させる。これらのことは、Ｒ用光変調部２７ＲとＢ用光変調部２７Ｂも同様である。
【００３０】
Ｇ用光変調部２７Ｇは、Ｇ光１９Ｇを原画に応じて変調するとともに反射する。これにより、Ｇ用光変調部２７Ｇから変調光２８Ｇが出射する。変調光２８ＧのうちＳ偏光成分は、Ｇ用偏光ビームスプリッタ２５Ｇの偏光分離面で反射され、光源側に戻され、投射光から除去される。一方、変調光２８ＧのうちＰ偏光成分は、Ｇ用偏光ビームスプリッタ２５Ｇの偏光分離面を透過する。このとき、全ての偏光成分をＳ偏光に変換した状態（以下、全黒表示状態という）において、λ／４板２６Ｇの遅相軸または進相軸をＧ用偏光ビームスプリッタ２５Ｇへの入射光軸と反射光軸を含む平面に垂直な方向に調整する。これにより、Ｇ用偏光ビームスプリッタ２５ＧとＧ用光変調部２７Ｇで発生する偏光状態の乱れの影響を小さく抑えることができる。Ｇ用偏光ビームスプリッタ２５Ｇから出射した変調光２８Ｇは、色合成プリズム２９に入射する。
【００３１】
ダイクロイックミラー２３で反射されたＲＢ光１９ＲＢは、波長選択性位相板２４に入射する。波長選択性位相板２４は、Ｒ光をその偏光方向を９０度回転させることでＰ偏光に変換し、Ｂ光をその偏光方向を回転させることなくＳ偏光として透過させる。波長選択性位相板２４を透過したＲＢ光１９ＲＢは、ＲＢ用偏光ビームスプリッタ２５ＲＢに入射する。
【００３２】
ＲＢ用偏光ビームスプリッタ２５ＲＢは、Ｐ偏光であるＲ光１９Ｒを透過し、Ｓ偏光であるＢ光１９Ｂを反射する。ＲＢ用偏光ビームスプリッタ２５ＲＢの偏光分離面を透過したＲ光１９Ｒは、Ｒ用光変調部２７Ｒで変調および反射されて変調光２８Ｒとして出射する。変調光２８ＲのうちＰ偏光成分は、ＲＢ用偏光ビームスプリッタ２５ＲＢの偏光分離面を透過して光源側に戻され、投射光から除去される。一方、変調光２８ＲのうちＳ偏光成分は、ＲＢ用偏光ビームスプリッタ２５ＲＢの偏光分離面で反射されて色合成プリズム２９に入射する。
【００３３】
ＲＢ用偏光ビームスプリッタ２５ＲＢの偏光分離面で反射されたＢ光１９Ｂは、Ｂ用光変調部２７Ｂで変調および反射されて変調光２８Ｂとなる。変調光２８ＢのうちＳ偏光成分は、ＲＢ用偏光ビームスプリッタ２５ＲＢの偏光分離面で反射されて光源側に戻され、投射光から除去される。一方、変調光２８ＢのうちＰ偏光成分は、ＲＢ用偏光ビームスプリッタ２５ＲＢの偏光分離面を透過して色合成プリズム２９に入射する。このとき、λ／４板２６Ｒ，２６Ｂの遅相軸をＧ用のλ／４板２６Ｇと同様に調整することにより、ＲとＢそれぞれの全黒表示状態の調整を行うことができる。こうして１つの光束に合成されてＲＢ用偏光ビームスプリッタ２５ＲＢから出射したＲＢ光１９ＲＢは、色合成プリズム２９に入射する。
【００３４】
色合成プリズム２９は、ＲＢ光１９ＲＢを透過してＧ光１９Ｇを反射することでこれらを合成して投射光３０を生成する。投射光３０は、投射レンズ３１を介してスクリーン等の不図示の被投射面に拡大投射される。これにより、投射画像としてのカラー画像が表示される。なお、図１に示した光路は、本プロジェクタが全白画像を表示しているときのものである。以下の実施例でも、特に断りがない限り、プロジェクタは全白画像を表示しているものとする。
【００３５】
次に、図２および図３を用いて、プロジェクタ１００においてＢ光源４ｂａ，４ｂｂおよびＲ光源４ｒｃ，４ｒｄを点灯させる順序について説明する。図２のフローチャートは、Ｂ光源４ｂａ，４ｂｂおよびＲ光源４ｒｃ，４ｒｄの起動処理、すなわち、各光源を消灯状態から所定点灯状態への点灯を完了させるまでの処理を示す。また、図３は、Ｂ光源４ｂａ，４ｂｂおよびＲ光源４ｒｃ，４ｒｄの駆動電流と蛍光体１５の回転数の時間変化を示している。システム制御部１、駆動電流算出部２および冷却制御部７は制御手段を構成する。システム制御部１は、コンピュータプログラムに従って本処理を実行する。
【００３６】
まず、ステップＳ１００において、プロジェクタ１００は待機状態にある。待機状態は、Ｂ光源４ｂａ，４ｂｂおよびＲ光源４ｒｃ，４ｒｄは消灯しており、システム制御部１にのみ電源が供給されている状態である。
【００３７】
ステップＳ１０１においてユーザの操作によって点灯指令を受けたシステム制御部１は、ステップＳ１０２において、プロジェクタ１００全体を立ち上げる処理を行う。
【００３８】
次にステップＳ１０３では、システム制御部１は、駆動電流算出部２にＲ光源４ｒｃ，４ｒｄを点灯させるための駆動電流を算出させ、光源駆動部３からＲ光源４ｒｃ，４ｒｄに駆動電流を供給させる。ここで、駆動電流算出部２は、図３に示すように、Ｒ光源４ｒｃ，４ｒｄに供給する駆動電流を点灯開始電流である０から所定点灯状態（点灯完了状態）に対応する所定電流Ｃまで、所定時間をかけて連続的に増加させる。具体的には、例えば、Ｒ光源４ｒｃ，４ｒｄの駆動電流を０から所定時間としての約１５秒間をかけて所定電流Ｃまで増加させる。
【００３９】
次にステップＳ１０４では、システム制御部１は、冷却制御部７を通じてＲおよびＢ光源用冷却ファン６ｒ，６ｂを回転させる。さらにシステム制御部１は、モータ制御部１８を通じてモータ１７を回転させ、蛍光体１５を回転させる。具体的には、図３に示すように、Ｒ光源４ｒｃ，４ｒｄへの駆動電流の供給開始後、所定時間としての約１０秒後にＲおよびＢ光源用冷却ファン６ｒ，６ｂと蛍光体１５の回転を開始させる。
【００４０】
次にステップＳ１０５では、システム制御部１は、蛍光体１５（モータ１７）の回転数が所定回転数以上に達したか否かを判定する。システム制御部１は、蛍光体１５の回転数が所定回転数以上である場合は、ステップＳ１０６に進む。一方、蛍光体１５の回転数が所定回転数以上でない場合は、システム制御部１は所定の待機時間の経過後に再びステップＳ１０５の判定を行う。本実施例では、励起光１１の照射により蛍光体１５がダメージを受けることを防止するために、蛍光体１５の回転数が所定回転数以上に達してからでなければＢ光源４ｂａ，４ｂｂを点灯させることができないようにしている。図３では、蛍光体１５の回転開始から約５秒後に蛍光体１５の回転数が所定回転数に達している。
【００４１】
蛍光体１５の回転数が所定回転数に達した後のステップＳ１０６では、システム制御部１は、駆動電流算出部２にＢ光源４ｂａ，４ｂｂを点灯させるための駆動電流を算出させ、光源駆動部３からＢ光源４ｂａ，４ｂｂに駆動電流を供給させる。ここで、駆動電流算出部２は、図３に示すように、Ｂ光源４ｂａ，４ｂｂに供給する駆動電流を０から所定点灯状態に対応する所定電流Ｄまで急峻に増加させる。言い換えれば、駆動電流算出部２は、Ｒ光源４ｒｃ，４ｒｄの駆動電流を、Ｂ光源４ｂａ，４ｂｂの駆動電流を所定電流Ｄまで増加させる時間よりも長い所定時間をかけて所定電流Ｃまで増加させる。
【００４２】
なお、図３では所定電流Ｃ，Ｄが互いに同じである場合を示しているが、互いに異なっていてもよい。
【００４３】
次にステップＳ１０７では、システム制御部１は、Ｂ光源４ｂａ，４ｂｂの駆動電流が所定電流Ｄ以上に達したか否かを判定する。システム制御部１は、Ｂ光源４ｂａ，４ｂｂの駆動電流が所定電流Ｄ以上に達した場合はステップＳ１０８に進む。一方、Ｂ光源４ｂａ，４ｂｂの駆動電流が所定電流Ｄ以上に達していない場合は、所定の待機時間の経過後に再びステップＳ１０７の判定を行う。
【００４４】
ステップＳ１０８では、システム制御部１は、Ｒ光源４ｒｃ，４ｒｄの駆動電流が所定電流Ｃ以上に達したか否かを判定する。システム制御部１は、Ｒ光源４ｒｃ，４ｒｄの駆動電流が所定電流Ｃ以上に達した場合は本処理を終了する。一方、Ｒ光源４ｒｃ，４ｒｄの駆動電流が所定電流Ｃ以上に達していない場合は、所定の待機時間の経過後に再びステップＳ１０８の判定を行う。なお、ステップＳ１０７の処理をステップＳ１０８の処理の後に行ってもよい。
【００４５】
Ｒ光源４ｒｃ，４ｒｄの駆動電流が所定電流Ｃに達するタイミング、Ｂ光源４ｂａ，４ｂｂの駆動電流が所定電流Ｄに達するタイミングおよび蛍光体１５の回転数が所定回転数に達するタイミングは、図３に示すように互いに同じであることが望ましい。これにより、ステップＳ１０３からＳ１０８までの時間である光源起動時間を短縮することができる。
【００４６】
本実施例によれば、Ｒ光源４ｒｃ，４ｒｄを点灯開始から所定点灯状態までＢ光源４ｂａ，４ｂｂよりも長い時間をかけて制御し、さらにＲ光源４ｒｃ，４ｒｄの点灯をＢ光源４ｂａ，４ｂｂよりも先に開始する。より具体的には、Ｒ光源４ｒｃ，４ｒｄの点灯をＲおよびＢ光源用冷却ファン６ｒ，６ｂによる冷却開始前および蛍光体１５（モータ１７）の回転開始前に開始し、Ｂ光源４ｂａ，４ｂｂの点灯を冷却開始後および蛍光体１５の回転開始後に開始する。これにより、Ｒ光源４ｒｃ，４ｒｄにおけるＣＯＤの発生リスクを低減することができるとともに、プロジェクタの起動時間を短縮することができる。
【実施例２】
【００４７】
次に、本発明の実施例２について、図４のフローチャートを用いて説明する。本実施例では、Ｒ光源４ｒｃ，４ｒｄに供給する駆動電流を段階的に増加させる。
【００４８】
図４のフローチャートにおいてステップＳ１００からステップＳ１０２およびステップＳ１０４からステップＳ１０８の処理は、実施例１（図２）におけるステップＳ１００からステップＳ１０２およびステップＳ１０４からステップＳ１０８の処理と同じである。本実施例では、実施例１（図２）におけるステップＳ１０３に代えてステップＳ２０１の処理を行う。
【００４９】
ステップＳ２０１では、システム制御部１は、駆動電流算出部２にＲ光源４ｒｃ，４ｒｄを点灯させるための駆動電流を算出させ、光源駆動部３からＲ光源４ｒｃ，４ｒｄに駆動電流を供給させる。ここで、駆動電流算出部２は、Ｒ光源４ｒｃ，４ｒｄに供給する駆動電流を０から所定点灯状態に対応する所定電流Ｃまで、所定時間をかけて段階的に増加させる。具体的には、例えば、Ｒ光源４ｒｃ，４ｒｄの駆動電流を０から所定時間としての約１５秒間をかけて所定電流Ｃまで、所定電流値ずつ複数回、増加させる。
【００５０】
本実施例でも、実施例１と同様に、Ｒ光源４ｒｃ，４ｒｄにおけるＣＯＤの発生リスクを低減することができるとともに、プロジェクタの起動時間を短縮することができる。
【実施例３】
【００５１】
次に、本発明の実施例３について説明する。図５は、本実施例のプロジェクタの構成を示している。図５に示した構成要素のうち、実施例１（図１）の構成要素と共通するものには実施例１と同符号を付して説明に代える。
【００５２】
本実施例のプロジェクタは、蛍光体冷却部４０を有する。蛍光体冷却部４０は、蛍光体１５を冷却するための冷却ファンにより構成されている（以下、蛍光体冷却部を蛍光体冷却ファンという）。蛍光体冷却ファン４０は、蛍光体支持部材１６を冷却することで、蛍光体１５を冷却する。システム制御部１は、冷却制御部７を通じて蛍光体冷ファン４０の回転数を制御することで、蛍光体１５の温度を制御することができる。
【００５３】
図６のフローチャートは、本実施例におけるＢ光源４ｂａ，４ｂｂおよびＲ光源４ｒｃ，４ｒｄの点灯起動処理を示す。図６のフローチャートにおいてステップＳ１００からステップＳ１０２およびステップＳ１０４からステップＳ１０８の処理は、実施例１（図２）におけるステップＳ１００からステップＳ１０３およびステップＳ１０６からステップＳ１０８の処理と同じである。本実施例では、実施例１（図２）におけるステップＳ１０３およびステップＳ１０４に代えてステップＳ３０１およびステップＳ３０２の処理を行う。
【００５４】
ステップＳ３０１では、システム制御部１は、蛍光体冷却ファン４０の回転を開始させる。
【００５５】
次にステップＳ３０２では、システム制御部１は、蛍光体冷却ファン４０の回転数が所定回転数以上に達したか否かを判定する。システム制御部１は、蛍光体冷却ファン４０の回転数が所定回転数以上に達した場合はステップＳ１０６に進む。一方、蛍光体冷却ファン４０の回転数が所定回転数以上に達していない場合は、所定の待機時間の経過後に再びステップＳ３０２の判定を行う。
【００５６】
本実施例では、励起光１１の照射により蛍光体１５がダメージを受けることを防止するために、蛍光体冷却ファン４０の回転数が所定回転数以上に達してからでなければＢ光源４ｂａ，４ｂｂを点灯させることができないようにしている。
【００５７】
本実施例でも、実施例１と同様に、Ｒ光源４ｒｃ，４ｒｄにおけるＣＯＤの発生リスクを低減することができるとともに、プロジェクタの起動時間を短縮することができる。
【実施例４】
【００５８】
次に、本発明の実施例４について、図７のフローチャートを用いて説明する。本実施例は、実施例２と実施例３を組み合わせた実施例であり、蛍光体冷却ファン４０を回転させるとともに、Ｒ光源４ｒｃ，４ｒｄに供給する駆動電流を段階的に増加させる。
【００５９】
図７のフローチャートにおいて、ステップＳ１００からステップＳ１０２、ステップＳ２０１およびステップＳ１０６からステップＳ１０８の処理は、実施例２（図４）におけるステップＳ１００からステップＳ１０２、ステップＳ２０１およびステップＳ１０６からステップＳ１０８の処理と同じである。また、ステップＳ３０１およびステップＳ３０２の処理は、実施例３（図６）におけるステップＳ３０１およびステップＳ３０２の処理と同じである。
【００６０】
本実施例でも、実施例１と同様に、Ｒ光源４ｒｃ，４ｒｄにおけるＣＯＤの発生リスクを低減することができるとともに、プロジェクタの起動時間を短縮することができる。
【実施例５】
【００６１】
次に、本発明の実施例５について説明する。図８は、本実施例のプロジェクタの構成を示している。図８に示した構成要素のうち、実施例１（図１）の構成要素と共通するものには実施例１と同符号を付して説明に代える。
【００６２】
本実施例のプロジェクタは、温度測定部（温度検出手段）５０を有する。温度測定部５０は、Ｒ光源４ｒｃ，４ｒｄの温度を検出する。温度測定部５０は、Ｒ光源４ｒｃ，４ｒｄの温度を直接的に検出してもよいし、Ｒ光源用ヒートシンク５ｒ等の温度を検出することによりＲ光源４ｒｃ，４ｒｄの温度を間接的に検出してもよい。
【００６３】
図９のフローチャートは、本実施例におけるＢ光源４ｂａ，４ｂｂおよびＲ光源４ｒｃ，４ｒｄの点灯起動処理を示す。図９のフローチャートにおいてステップＳ１００からステップＳ１０２およびステップＳ１０４からステップＳ１０８の処理は、実施例１（図２）におけるステップＳ１００からステップＳ１０２およびステップＳ１０４からステップＳ１０８の処理と同じである。
【００６４】
本実施例では、実施例１（図２）におけるステップＳ１０３に代えてステップＳ５０１の処理を行う。
【００６５】
ステップＳ５０１では、システム制御部１は、温度測定部５０に、Ｒ光源４ｒｃ，４ｒｄの温度を検出させる。そして、システム制御部１は、駆動電流算出部２に、検出された温度に応じたＲ光源４ｒｃ，４ｒｄの駆動電流を算出させ、該算出結果に応じてＲ光源４ｒｃ，４ｒｄの駆動電流を変更させる。本実施例では、実施例２と同様にＲ光源４ｒｃ，４ｒｄの駆動電流を段階的に増加させる。この際、Ｒ光源４ｒｃ，４ｒｄの温度が低いほど、駆動電流の１回ごとの増加量が小さくなるようにする。これにより、Ｒ光源４ｒｃ，４ｒｄの駆動電流が０から所定点灯状態に対応する所定電流まで増加する時間が長くなる。
【００６６】
逆に、Ｒ光源４ｒｃ，４ｒｄの温度が高いほど、駆動電流の１回ごとの増加量が大きくなるようにする。これにより、Ｒ光源４ｒｃ，４ｒｄの駆動電流が０から所定点灯状態に対応する所定電流まで増加する時間が短くなる。
【００６７】
本実施例でも、実施例１と同様に、Ｒ光源４ｒｃ，４ｒｄにおけるＣＯＤの発生リスクを低減することができる。また、検出されたＲ光源４ｒｃ，４ｒｄの温度に応じてＲ光源４ｒｃ，４ｒｄの駆動電流を制御することで、プロジェクタの起動時間を可能な限り短縮することができる。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００６８】
以上説明した各実施例は代表的な例にすぎず、本発明の実施に際しては、各実施例に対して種々の変形や変更が可能である。
【符号の説明】
【００６９】
１  システム制御部
２  駆動電流算出部
４ｒｃ，４ｒｄ  Ｒ光源
４ｂａ，４ｂｂ  Ｂ光源
【図１】
2020034824.tif 000003
【図２】
2020034824.tif 000004
【図３】
2020034824.tif 000005
【図４】
2020034824.tif 000006
【図５】
2020034824.tif 000007
【図６】
2020034824.tif 000008
【図７】
2020034824.tif 000009
【図８】
2020034824.tif 000010
【図９】
2020034824.tif 000011